(57)【要約】      （修正有）【課題】手に付いたほこり、バイ菌、ウイルス等をおにぎりと一緒に食べてしまう事も無く、インフルエンザ等の感染病に感染する事を防ぐ事が出来る、衛生的なおにぎりシートを提供する。【解決手段】ビニール又はポリプロピレンの材質で出来ていて、何枚合わせかのシートの内部に、ビニール又はポリプロピレンの材質で出来た防汚シート２を設ける。又は、ビニール又はポリプロピレンの材質で出来た長方形のシートの、左右両辺近くに左右それぞれ一本ずつのテープを設け、長方形のシートの前記テープに挟まれた中央部分を防汚シートとした。【選択図】図１
0003199717.tif 000002
【実用新案登録請求の範囲】
【請求項１】
ビニ−ル、ポリプロピレン等の材質で出来た本体シ−トに、ビニ−ル、ポリプロピレン等の材質で出来た防汚シ−トを設けた事を特徴とする、おにぎりシ−ト。
【請求項２】
ビニ−ル、ポリプロピレン等の材質で出来ていて、何枚合わせかのシ−トの内部に、ビニ−ル、ポリプロピレン等の材質で出来た防汚シ−トを設けた事を特徴とする、おにぎりシ−ト。
【請求項３】
ビニ−ル、ポリプロピレン等の材質で出来た長方形のシ−トの、左右両辺近くに左右それぞれ一本ずつのテ−プを設けた事を特徴とする、おにぎりシ−ト。
【考案の詳細な説明】
【技術分野】
【０００１】  本考案は、コンビニ等で販売されているおにぎりを食べる場合、おにぎりシ−トをはずした時に、おにぎりを素手で持たなくても良い、おにぎりシ−トに関するものである。
【背景技術】
【０００２】  従来、コンビニ等で販売されているおにぎりを買って食べる場合、おにぎりシ−トの中央に付いているテ−プを引いて裏まで回してテ−プを切り、残ったシ−トを左右外側に引き外してシ−トを取り、海苔で巻いてあるおにぎりを素手で持って食べていた。又、従来のおにぎりシ−トはポリプロピレン等の材質で二枚合わせ等の構造になっていた。この構造は海苔とおにぎりをシ−トでさえぎり、海苔とおにぎりを別々に収納して、おにぎりを食べる時に海苔が乾燥していてパリパリの状態で、おにぎりを食べる事が出来る構造になっていた。
【考案の概要】
【考案が解決しようとする課題】
【０００３】  従来、コンビニ等で販売されているおにぎりを買って食べる場合、おにぎりシ−トの中央に付いているテ−プを引いて裏まで回してテ−プを切り、残ったシ−トを左右外側に引き出してシ−トを取り、海苔で巻いてあるおにぎりを素手で持って食べていた。通常、人の手は普段色々な物を持ったりつかんだり、さわったりしているので目に見えないほこり、バイ菌、ウイルス等がたくさん付いているので、おにぎりを素手で持って食べた場合、それらのほこり、バイ菌、ウイルス等をおにぎりと一緒に食べてしまい、衛生的に良くなかった。又、インフルエンザウイルス等が付着した手でおにぎりを持って食べた場合、インフルエンザウイルス等が口に入ってしまいインフルエンザに感染してしまう事があった。又、潔癖な人はおにぎりを素手で食べる場合、手を良く洗ったり消毒ティッシュ等で、手をきれいにしてからおにぎりを食べていた。
【課題を解決するための手段】
【０００４】  以上の欠点を無くすために本考案のおにぎりシ−トにおいては、ビニ−ル、ポリプロピレン等の材質で出来ていて、何枚合わせかのシ−トの内部に、シ−トとは独立したビニ−ル、ポリプロピレン等の材質で出来た防汚シ−トを設けたものである。又、ビニ−ル、ポリプロピレン等の材質で出来た縦長の長方形のシ−トの、左右両辺近くにそれぞれ一本ずつのテ−プを設けた。【０００５】  おにぎりシ−トで包装してあるおにぎりを食べる時に、おにぎりシ−トの中央に付いているテ−プを引いて裏まで回してテ−プを切り、残ったシ−トを左右外側に引き外してシ−トを取る。すると、防汚シ−トはおにぎりシ−トとは別々になっているので、おにぎりを包む様におにぎりの上に残るので、おにぎりを素手で持った時に防汚シ−トがあるので、手に付いたほこり、バイ菌、ウイルス等がおにぎりに付く事が無く、手に付いたほこり、バイ菌、ウイルス等をおにぎりと一緒に食べる事も無く、衛生的である。又、縦長の長方形のシ−トの左右両辺近くにそれぞれ一本ずつのテ−プを設けたおにぎりシ−トにおいては、おにぎりを包装してある状態のおにぎりシ−トの左右どちらかのテ−プを引いて裏まで回してテ−プを切り、残ったテ−プを引いて裏まで回してテ−プを切る。そして左右両側のシ−トを左右外側に引き出す。すると、中央におにぎりシ−トの中央部分が残るので、残った中央部分のシ−トが防汚シ−トとなり、素手でおにぎりを持った時に手に付いたほこり、バイ菌、ウイルス等がおにぎりに付く事が無く、手に付いたほこり、バイ菌、ウイルス等をおにぎりと一緒に食べる事も無く、衛生的である。
【考案の効果】
【０００６】  本考案は、以上説明したように構成されているので、以下に記載されるような効果を奏する。
おにぎりシ−トに防汚シ−トを設ける事により、おにぎりを素手で持って食べる場合、手に付いたほこり、バイ菌、ウイルス等をおにぎりと一緒に食べてしまう事も無く、衛生的におにぎりを食べる事ができる。又、防汚シ−トがある事により手に付着したインフルエンザウイルス等もおにぎりに付着するのを防ぐので、インフルエンザ等の感染病に感染する事を防ぐ事が出来る。
【図面の簡単な説明】
【０００７】
【図１】  実施例１を示す連続図
【図２】  実施例１のおにぎりシ−トの横断面図
【図３】  実施例２を示す連続図
【図４】  実施例２のおにぎりシ−トの正面図
【考案を実施するための形態】
【実施例】
【０００８】  実施例１
実施例１を図１に基づいて説明する。実施例１のおにぎりシ−トにおいては、何枚かに合わさったおにぎりシ−ト１の内部に独立した防汚シ−ト２を設けている。
これを使用する時は、おにぎり３を包装した状態のおにぎりシ−ト１の中央についているテ−プ４を引いて、裏まで回してテ−プ４を切り、残ったシ−トを左右外側に引き出してシ−トを取る。すると、防汚シ−ト２はおにぎりシ−ト１とは別々になって独立しているので、おにぎり３を包む様におにぎり３の上に残るので、おにぎり３を素手で持った時に防汚シ−ト２があるので、手に付いたほこり、バイ菌、ウイルス等がおにぎり３に付く事が無く、手に付いたほこり、バイ菌、ウイルス等をおにぎり３と一緒に食べる事も無く、衛生的である。【０００９】  実施例２
実施例２を図３に基づいて説明する。
実施例２のおにぎりシ−ト１においては縦の長方形のおにぎりシ−ト１の左右両辺近くにそれぞれ一本ずつのテ−プ４を設けている。
これを使用する時は、おにぎり３を包装してある状態のおにぎりシ−ト１の左右どちらかのテ−プ４を引いて裏まで回し、テ−プ４を切り、残ったテ−プ４を引いて裏まで回してテ−プ４を切る。そして左右両側のシ−ト５を左右外側に引き外す。すると中央におにぎりシ−ト１の中央部分のシ−ト６が残るので、残った中央部分のシ−ト６が防汚シ−ト２となり、素手でおにぎり３を持った時に手に付いたほこり、バイ菌、ウイルス等がおにぎり３に付く事が無く、手に付いたほこり、バイ菌、ウイルス等をおにぎり３と一緒に食べる事も無く、衛生的である。
【符号の説明】
【００１０】    １  おにぎりシ−ト
２  防汚シ−ト
３  おにぎり
４  テ−プ
５  左右両側のシ−ト
６  中央部分のシ−ト
【図１】
0003199717.tif 000003
【図２】
0003199717.tif 000004
【図３】
0003199717.tif 000005
【図４】
0003199717.tif 000006
【手続補正書】
【提出日】平成27年4月10日(2015.4.10)
【手続補正１】
【補正対象書類名】実用新案登録請求の範囲
【補正対象項目名】全文
【補正方法】変更
【補正の内容】
【実用新案登録請求の範囲】
【請求項１】
ビニール、ポリプロピレンの材質で出来ていて、何枚合わせかのシートの内部に、ビニール、ポリプロピレンの材質で出来た防汚シートを設けた事を特徴とする、おにぎりシート。
【請求項２】
ビニール、ポリプロピレンの材質で出来た長方形のシートの、左右両辺近くに左右それぞれ一本ずつのテープを設けた事を特徴とする、おにぎりシート。
【手続補正書】
【提出日】平成27年6月18日(2015.6.18)
【手続補正１】
【補正対象書類名】実用新案登録請求の範囲
【補正対象項目名】全文
【補正方法】変更
【補正の内容】
【実用新案登録請求の範囲】
【請求項１】
ビニ−ル又はポリプロピレンの材質で出来ていて、何枚合わせかのシ−トの内部に、ビニ−ル又はポリプロピレンの材質で出来た防汚シ−トを設けたことを特徴とする、おにぎりシ−ト。
【請求項２】
ビニ−ル又はポリプロピレンの材質で出来た長方形のシ−トの、左右両辺近くに左右それぞれ一本ずつのテ−プを設け、前記シ−トの前記テ−プに挟まれた中央部分を防汚シ−トとしたことを特徴とする、おにぎりシ−ト。